(57)【要約】  音波を発生させる、特に圧縮波を発生させる、トランスデューサであって、送信素子アレイと、受信素子アレイと、送信素子アレイおよび受信素子アレイ用の少なくとも１つのウエッジと、好ましくは送信素子アレイおよび受信素子アレイを分離する音響障壁とを備え、送信素子アレイのピッチが送信素子アレイの長さに沿って変化するトランスデューサ。【選択図】図４A
2010517034.tif 000002
【特許請求の範囲】
【請求項１】
送信素子アレイと、受信素子アレイと、前記送信素子アレイおよび前記受信素子アレイ用の少なくとも１つのウエッジと、好ましくは前記送信素子アレイおよび前記受信素子アレイを分離する音響障壁とを備える、音波を発生させる、より具体的には圧縮波を発生させる、ためのトランスデューサであって、前記送信素子アレイのピッチが前記送信素子アレイの長さに沿って変化することを特徴とするトランスデューサ。
【請求項２】
前記送信素子アレイの前記ピッチが前記送信素子アレイのほぼ全長に沿って変化することを特徴とする、請求項１に記載のトランスデューサ。
【請求項３】
前記送信素子アレイの前記ピッチが、一般に、前記トランスデューサの後部から前記トランスデューサの前部への方向に縮小することを特徴とする、請求項１または２に記載のトランスデューサ。
【請求項４】
前記受信素子アレイの前記ピッチが前記受信素子アレイの長さに沿って変化することを特徴とする、請求項１、２、または３に記載のトランスデューサ。
【請求項５】
前記受信素子アレイの前記ピッチが、一般に、前記トランスデューサの後部から前記トランスデューサの前部への方向に小さくなることを特徴とする、請求項４に記載のトランスデューサ。
【請求項６】
前記送信素子アレイの前記長さに対して直角な方向の前記送信素子の幅が、前記送信素子アレイの前記長さに沿って、前記送信素子アレイの前記ピッチに対応して変化することを特徴とする、先行請求項の何れか１項に記載のトランスデューサ。
【請求項７】
前記送信素子アレイの前記長さに対して直角な方向の前記送信素子の前記幅が、一般に、前記トランスデューサの後部から前記トランスデューサの前部への方向に縮小することを特徴とする、請求項６に記載のトランスデューサ。
【請求項８】
前記受信素子アレイの前記長さに対して直角な方向の前記受信素子の前記幅が、前記受信素子アレイの前記長さに沿って、前記受信素子アレイの前記ピッチに対応して変化することを特徴とする、先行請求項の何れか１項に記載のトランスデューサ。
【請求項９】
前記受信素子アレイの前記長さに対して直角な方向の前記受信素子の前記幅が、一般に、前記トランスデューサの後部から前記トランスデューサの前部への方向に縮小することを特徴とする、請求項８に記載のトランスデューサ。
【請求項１０】
前記送信素子アレイの前記ピッチおよび前記受信素子アレイの前記ピッチが、一般に、同じように変化することを特徴とする、請求項２および４に記載のトランスデューサ。
【請求項１１】
前記送信素子の前記幅および前記受信素子の前記幅が、一般に、同じように変化することを特徴とする、請求項６および８に記載のトランスデューサ。
【請求項１２】
前記送信素子アレイの縦中心線と前記受信素子アレイの縦中心線との間の距離が、一般に、前記トランスデューサの前記後部から前記トランスデューサの前記前部への方向に小さくなることを特徴とする、先行請求項の何れか１項に記載のトランスデューサ。
【請求項１３】
前記トランスデューサは少なくとも前記送信素子アレイ用の少なくとも１つのウエッジを備え、前記送信素子アレイに対して直角な前記少なくとも１つのウエッジからの高さが前記トランスデューサの前記後部から前記トランスデューサの前記前部への方向に大きくなることを特徴とする、先行請求項の何れか１項に記載のトランスデューサ。
【請求項１４】
前記送信素子アレイが前記ウエッジ上に固定されることを特徴とする、請求項１３に記載のトランスデューサ。
【請求項１５】
前記受信素子アレイが前記ウエッジ上に固定されることを特徴とする、請求項１４に記載のトランスデューサ。
【請求項１６】
前記トランスデューサは前記送信素子アレイ用の第１のウエッジと前記受信素子アレイ用の第２のウエッジとを備え、前記送信素子アレイに対して直角な各ウエッジの高さが前記トランスデューサの前記後部から前記トランスデューサの前記前部への方向に大きくなる、先行請求項１乃至１４の何れか１項に記載のトランスデューサ。
【請求項１７】
音波を発生させるためのトランスデューサを用いて２つの板またはパイプの間の溶接部を検査する方法であって、前記トランスデューサは、送信素子アレイと、受信素子アレイと、ウエッジと、好ましくは前記送信素子アレイおよび前記受信素子アレイを分離する音響障壁とを備え、インデックスポイントと方向とが互いに異なる少なくとも第１および第２の音響ビームを複数の異なる送信素子セットによって発生させることを特徴とする方法。
【請求項１８】
少なくとも第１および第２の音響ビームが複数の異なる送信素子セットによって発生され、前記第１のビームは前記溶接部の第１の部分に前記溶接部の前記第１の部分に対して少なくともほぼ直角方向に落ち、前記第２のビームは、前記溶接部の前記第１の部分とは異なる前記溶接部の第２の部分に、前記溶接部の前記第２の部分に対して少なくともほぼ直角方向に落ちるように、前記ビームは互いに異なるインデックスポイントと方向とをそれぞれ有することを特徴とする、請求項１７に記載の方法。
【請求項１９】
２つより多い音響ビームをそれぞれ異なる方向に送信するために、ビームが前記溶接部の一部に前記溶接部の前記一部に対して少なくともほぼ直角方向に落ちるように、インデックスポイントと方向とを有するビームが各送信素子セットによって得られるように、互いに異なる２つより多い送信素子セットが選択されることを特徴とする、請求項１８に記載の方法。
【請求項２０】
互いに異なるインデックスポイントを有する複数の異なるビームを発生させるためにそれぞれ異なる送信素子セットが選択されることを特徴とする、先行請求項１７乃至１９の何れか１項に記載の方法。
【請求項２１】
互いに異なる複数の送信素子セットは、前記セットの中心から前記トランスデューサの前部までの距離が互いに異なることを特徴とする、先行請求項１７乃至２０の何れか１項に記載の方法。
【請求項２２】
送信素子セットは、互いに隣接する複数の送信素子を含むことを特徴とする、先行請求項１７乃至２１の何れか１項に記載の方法。
【請求項２３】
送信素子セットの素子間の遅延を選択することによって送信ビームが集束されることを特徴とする、先行請求項１７乃至２２の何れか１項に記載の方法。
【請求項２４】
前記送信素子アレイは、前記受信素子アレイの受信素子構成と同じ送信素子構成を有することを特徴とする、先行請求項１７乃至２３の何れか１項に記載の方法。
【請求項２５】
受信素子セットは反射ビームを受信するために用いられ、前記受信素子セットは前記選択された送信素子セットにそれぞれ対応することを特徴とする、先行請求項２４に記載の方法。
【請求項２６】
受信素子セットの素子間の遅延を選択することによって受信ビームが集束されることを特徴とする、先行請求項２５に記載の方法。
【請求項２７】
先行請求項１乃至１６の何れか１項に記載のトランスデューサが用いられることを特徴とする、先行請求項１７乃至２６の何れか１項に記載の方法。
【発明の詳細な説明】
【技術分野】
【０００１】
本発明は、送信素子アレイと、受信素子アレイと、送信素子アレイおよび受信素子アレイ用の少なくとも１つのウエッジ(Wedge)と、好ましくは送信素子アレイおよび受信素子アレイを分離する音響障壁とを備え、音波を発生させる、特に圧縮波を発生させる、トランスデューサに関する。
【背景技術】
【０００２】
本発明は、送信素子アレイと、受信素子アレイと、ウエッジと、好ましくは、送信素子アレイおよび受信素子アレイを分離する音響障壁とを備える、音波を発生させるトランスデューサを用いて２つの板またはパイプの間の溶接部を検査する方法にさらに関する。
【０００３】
主にオーステナイト相から成る溶接部などの異方性粗粒材料の超音波検査は、従来のせん断波トランスデューサを用いると、超音波の散乱、減弱、およびノイズの増加がもたらされる。
【０００４】
この理由により、この問題を克服するために、改善された超音波技術が専用に考案されて使用されている。これらの専用に考案された超音波技術は、従来のせん断波ではなく、縦波を用いる。縦波は、調査対象材料の異方性の影響を受けにくい。たいていの場合、これらのトランスデューサには、１つの水晶振動子ではなく、物理的に分離された２つの水晶振動子が取り付けられている。これらの水晶振動子の一方は、送信器として機能し、他方は受信器として機能する。本文献においては、上記のトランスデューサの意匠性を示すために、ＴＲＬプローブ（Ｔｒａｎｓｍｉｔｔｅｒ−Ｒｅｃｅｉｖｅｒ  Ｌｏｎｇｉｔｕｄｉｎａｌ；縦波送受信）という述語を共通に用いる。
【０００５】
強い異方性挙動を有する粗粒材の非破壊検査のためのＴＲＬ技術の使用は、成功裡に実施され、主にオーステナイト相で作られた溶接部ばかりでなく、フェライト鋼にも、１９７０年以降、手動で（ＴＲＬトランスデューサを手動で移動させて材料を走査）および自動で（特定の方向に沿って、例えば溶接部の上部で、移動可能な機械装置に取り付けられたいくつかの（複数の）ＴＲＬトランスデューサによって材料を走査）使用されている。対応するデータの取得は、コンピュータまたは同様の記録装置によって行われる。複数のトランスデューサを用いたオーステナイト系溶接部の自動超音波試験の成功例が既に１９７６年にＲＴＤ社によって公表されている。その時以来、ＲＴＤ社は、オーステナイト系溶接部の機械化されたテスト用のＴＲＬトランスデューサを製造、販売、および使用している。
【０００６】
建設業界においては、オーステナイト溶接部などの粗粒異方性溶接部は、板またはパイプなどのオーステナイト（非磁性）部品の接合ばかりでなく、他の種類の材料、例えばフェライト（磁性）部品、の接合にも一般に用いられている。後者は、主に液化天然ガスの貯蔵用タンクの場合であり、板はニッケル含有量が高い（例えば、９％）フェライト鋼合金から製造され、溶接部はオーステナイト組織を有する。
【０００７】
本発明は、これらの溶接部の検査に都合よく使用しうる、改良された技術およびフェーズドアレイトランスデューサに関する。
【０００８】
上記のように、複数のＴＲＬトランスデューサを用いた、オーステナイト溶接部などの粗粒異方性溶接部の機械化された超音波検査は公知であり、過去において成功裡に実施されている。ごく最近、ＲＴＤ社は、革新的な検査方法に関する米国特許出願第６０／８６１，９６４号を提出した。ＲＴＤ社のこの新しい特許出願の明細書には、溶接欠陥の寸法を超音波エコーの振幅に基づき推定できるように、溶接部の開先のあらゆる部分に超音波ビームをできる限り直角に当てる方法が説明されている。これは、開先面ごとに少なくとも１つの独立したトランスデューサを必要とする。
【０００９】
次に、図面を参照しながら従来技術のシステムおよび本発明についてさらに説明する。
【発明の概要】
【発明が解決しようとする課題】
【００１０】
現在のフェーズドアレイ技術の欠点
オーステナイト溶接部の検査のためにフェーズドアレイを用いることも公知である。この方法は、従来型ＴＲＬトランスデューサの構成と同様の構成を用いるが、この場合、送信および受信用の水晶振動子の代わりに、フェーズドアレイが用いられる。
【００１１】
ＴＲＬトランスデューサ１は、送信素子２と、受信素子４と、送信素子２用の第１のウエッジ６と、受信素子４用の第２のウエッジ８と、ウエッジ６、８間の音響遮断壁１０とを備える。使用時、送信素子２は、送信ビーム２６Ｔを発生させ、受信素子は受信ビーム２６Ｒを受信する。両ビーム２６Ｔ、２６Ｒは焦域５で交差する。
【００１２】
図１に示すようなトランスデューサの水晶振動子２、４の代わりに送信用フェーズドアレイ１２と受信用フェーズドアレイ１４とを用いる方法が図２に示されている。図２は、ウエッジ(Wedge)６、８の上面図を示す。複式送信素子アレイ１２および複式受信素子アレイ１４が見られ、図１に示されている水晶振動子と同様の位置に位置付けられている。これらのアレイは、どちらもフェーズドアレイで構成され、各アレイは、一般に２つ以上の列Ａ、Ｂ、Ｃ、およびＤの素子１６、１８で構成される。この例において、送信器は送信素子１６の２つの列Ａ、Ｂを有し、受信器は受信素子１８の２つの列Ｃ、Ｄを有する。３つ以上の素子列を用いることもできる。
【００１３】
従来の複式ＴＲＬトランスデューサでは、送信器および受信器をスキントアングル下で機械加工することによって、指定された焦点距離２０、２０’をトランスデューサに与えることができるが、フェーズドアレイでは、列Ａの素子間の送信時間シフトを列Ｂの素子間の送信時間シフトに対して変化させ、列Ｃの素子間の受信時間シフトを列Ｄの素子素子間の受信時間シフトに対して変化させることによって同じことを行うことができる。この方法によって、「横方向への」ビームステアリングが可能になる。この方法により、焦点距離（すなわち、両ビームが交差する距離）を変えることができる。図３に示すように、送信および受信時間シフトを列１から１６の素子に適用することによって、送信器および受信器の入射角をステアリングすることができる。図３には、複数の掃引送信ビーム２６Ｔがテスト対象物体１９内に示されており、各ビームは、この物体の開先２４の法線Ｎに対する入射角Ｈを有する。他の用途には、他の数の素子を必要としうる。対応する掃引受信ビーム２６Ｒ（図示せず）は、受信素子アレイ１４によって生成される。
【００１４】
この種のフェーズドアレイトランスデューサは、一般に、オーステナイト溶接部の検査のために、上記のように角度および焦点距離をステアリングするために用いられる。通常、テスト中の物体への超音波の入射点２２（トランスデューサのインデックスポイント２２）は、基本的に同じままである。結果として、溶接開先２４の全ての部分（面）に何れかの超音波送信ビーム２６Ｔが確実に直角に当たる可能性はない（図３）。また、上記の面に当たった送信ビームの反射を受信するには、対応する受信ビーム２６Ｒは溶接部の対応する面に対して直角であるべきである。結果として、米国特許出願第６０／８６２，９６４号明細書に説明されているように、これは、振幅に基づく欠陥の寸法評価を難しくする。
【００１５】
この用途のための現在のフェーズドアレイトランスデューサの別の欠点は、フェーズドアレイを用いた横への効率的ビームステアリングには、送信器および受信器のそれぞれに（図２に示すように）２列または３列より相当多い素子（列）を必要とすることである（この場合は、トランスデューサの各側に、好ましくは送信器用に８列および受信器用に８列）。ただし、素子を増やすには、音響遮断壁によって分離された多数の素子を各側に有するトランスデューサを必要とするため、はるかに複雑なトランスデューサとなる。
【課題を解決するための手段】
【００１６】
本発明は、改良されたフェーズドアレイトランスデューサを用いる（溶接部の各側に１つずつ）。このようなトランスデューサは単純化が可能であり、多数の素子を有する必要がなく、および／または上記のような欠点がない。単独で、または組み合わせて、達成しうる目的として、以下が挙げられる。
１．各開先面への直角入射のために、角度だけでなく、インデックスポイントの位置も選択できるように、トランスデューサのインデックスポイントを一定距離にわたって移動させることができる。
２．列当たり少数の素子によって非効率的な横ビームステアリングから脱却する。
３．送信器および受信器のそれぞれに複数の素子列を使用する必要性から脱却する。
【００１７】
第１の目的を達成するには、インデックスポイント２２を移動させるために十分な長さと素子数とを有する必要がある。
【００１８】
第２の目的は、改良されたフェーズドアレイ構成を必要とする。
【図面の簡単な説明】
【００１９】
【図１】従来技術のトランスデューサの一実施形態を示す。
【図２】送信素子アレイと受信素子アレイとを備える従来技術のトランスデューサの一実施形態を示す。
【図３】図２に示されているトランスデューサの使用を示す。
【図４Ａ】本発明によるトランスデューサの可能な一実施形態の使用を示す。
【図４Ｂ】本発明によるトランスデューサの可能な一実施形態の使用を示す。
【発明を実施するための形態】
【００２０】
本発明による音波を発生させるためのトランスデューサは、送信素子アレイのピッチが送信素子アレイの長さに沿って変化することを特徴とする。送信素子アレイのピッチは、送信素子アレイの長さに沿って変化することが好ましい。送信素子アレイのピッチは、一般に、トランスデューサの後部からトランスデューサの前部への方向に縮小することがさらに好ましい。受信素子アレイのピッチは、受信素子アレイの長さに沿って変化することが好ましい。受信素子アレイのピッチは、一般に、トランスデューサの後部からトランスデューサの前部への方向に縮小することがさらに好ましい。
【００２１】
本発明による方法は、互いに異なるインデックスポイントおよび方向をそれぞれ有する少なくとも第１および第２の音響ビームがそれぞれ異なる送信素子セットによって生成されることを特徴とする。この目的のために、本発明によるトランスデューサを都合よく使用することができる。
【００２２】
好都合な一実施態様によると、送信素子アレイの長さに対して直角な方向の送信素子の幅は、送信素子アレイの長さに沿って、送信素子アレイのピッチに対応して変化する。このような方法により、素子列が１列のみの送信器でも所望のビームを発生させるために有効に使用しうる。例えば、一定数の送信素子を備え、第１のビームを発生させるために使用される送信素子アレイの前部は、トランスデューサの幅方向およびトランスデューサの長さ方向に相対的に小さい表面積を有する。同数の送信素子を備え、第２のビームを発生させるために使用される送信素子アレイの後部は、トランスデューサの幅方向およびトランスデューサの長さ方向に相対的に大きい表面積を有する。つまり、第１のビームは第２のビームより干渉性が低いので、第１のビームは、トランスデューサからの距離が相対的に短い位置での検査に使用しうる。第２のビームは、トランスデューサからの距離が相対的に長い位置での検査に使用しうる。第１のビームのインデックスポイントは第２のビームのインデックスポイントと異なるので、相対的に短い距離にある検査対象の溶接部の特定部分に第１のビームが当たる角度は、その溶接部の表面に対して直角になりうる一方で、前記相対的に長い距離にある検査対象の溶接部の別の部分に第２のビームが当たる角度もその溶接部の表面に対して直角になりうる。
【００２３】
受信素子アレイの長さに対して直角な方向の受信素子の幅は、受信素子アレイの長さに沿って、受信素子アレイのピッチに対応して変化することが好ましい。このような方法により、受信素子アレイは、送信素子アレイと同様の特性を有しうる。
【００２４】
改良されたトランスデューサは、例えばタンク、パイプなどの最も一般的な肉厚に必要なトランスデューサのインデックスシフト範囲に対応するために十分な長さと十分な数の素子とをそれぞれ有する単一の送信素子アレイおよび単一の受信素子アレイの両方を有しうる。以下に、１０ｍｍから３５ｍｍの肉厚範囲の場合について本発明を説明する。他の肉厚の場合は、超音波周波数、素子の数、ピッチ、素子幅、および他の幾何学的特性などのパラメータを変えて、同様の構成を使用できる。
【００２５】
この肉厚範囲に対する従来のＴＲＬトランスデューサの設計および使用においては、必要とされる入射角度の大半は４０°と９０°の間の範囲内にあることが観察されている（後者の角度はクリーピング波トランスデューサに使用される）。必要とされる焦点距離の大半は、１５ｍｍと７０ｍｍの間の範囲内にある。水晶振動子の大きさは、短い焦点距離用の８×１０ｍｍ（幅×長さ）から、より長い焦点距離用の１５×２５ｍｍ以上に及ぶ。
【００２６】
さらに、トランスデューサのビームインデックスポイントと溶接部の中心線との間の最適距離は、そのトランスデューサの焦点距離と必ず同程度であることが各トランスデューサについて観察されている。これは、焦点は溶接部に、またはその近くに、位置付ける必要があることから当然のことである。したがって、溶接部からの距離が長くなるほど、より長い焦点距離が必要になる。
【００２７】
上記の肉厚範囲の検査のために使用される最良の超音波周波数は一般に２ＭＨｚである。フェーズドアレイの超音波ビームにおけるグレーティングローブを抑圧するために、アレイ内の素子間の距離（「ピッチ」）が一定値を超えないようにすべきことが知られている。この値は、超音波周波数とウエッジ内のビームステアリング範囲とに関係することも知られている。
【００２８】
圧縮波トランスデューサの場合、鋼鉄内の角度を４０°と９０°の間の範囲内にするために、ウエッジ（例えばパースペクス製または別の同様の材料製）内のビームステアリング範囲は１０°である。したがって、ウエッジ角度をその範囲の中心にある鋼鉄内の角度用に最適化された値にすると、このウエッジ内の必要な掃引範囲は±５°になる。この掃引範囲であると、周波数が２ＭＨｚの場合、最大ピッチは約３ｍｍになる。この値においては、憂慮すべきグレーティングローブは一切現れない。
【００２９】
次に、本発明による可能な一実施形態について図４を参照しながら説明する。
【００３０】
本発明の一側面は、以下の知見に基づく。
焦点距離が相対的に短い場合は、相対的に小さな送信器が必要になる。必要な長さは、たとえば９ｍｍである。このような送信器は、送信素子のフェーズドアレイ１２の１セットの素子１６で形成される。このセットは複数の隣接素子１６を含む。ピッチＰが３ｍｍであれば、このセットに含まれる素子の数は３つになるが、これでは効果的なビームステアリングには十分ではない。この場合は、ピッチＰが１ｍｍである方が良い。１ｍｍであれば、セットに含まれる隣接素子１６の数が９個になり、効果的なビームステアリングが可能になる。焦点距離が相対的に長い場合は、相対的に大きな送信器が必要になる。必要な長さは、たとえば２５ｍｍである。このような送信器は、送信素子のフェーズドアレイ１２の１セットの素子１６で形成される。このセットは複数の隣接素子１６を含む。ピッチを３ｍｍにすると、効果的なビームステアリングに十分な数である８つの素子を備えることになる。この場合、ピッチを１ｍｍにする必要はない。
【００３１】
受信器についても同じである。焦点距離が相対的に短い場合は、相対的に小さな受信器が必要になる。必要な長さは、たとえば９ｍｍである。このような受信器は、受信素子１８のフェーズドアレイ１４の１セットの素子１８で形成される。このセットは複数の隣接素子１８を含む。ピッチＰを３ｍｍにすると、素子の数は３つになるが、これでは効果的なビームステアリングに十分ではない。この場合、ピッチは１ｍｍの方が良い。１ｍｍにすると、セットに含まれる隣接素子の数が９個になり、効果的なビームステアリングが可能になる。
【００３２】
焦点距離が相対的に長い場合は、相対的に大きな受信器が必要になる。必要な長さは、たとえば２５ｍｍである。このような受信器は、受信素子のフェーズドアレイ１４の１セットの素子１８で形成される。このセットは複数の隣接素子１８を含む。ピッチを３ｍｍにすると、このセットに含まれる素子の数は８つになり、効果的なビームステアリングに十分である。この場合、ピッチを１ｍｍにする必要はない。
【００３３】
したがって、本発明の一側面による受信用トランスデューサおよび送信用トランスデューサは、ピッチＰがアレイの全長にわたって一定でない、例えばトランスデューサの前部３２の１ｍｍからトランスデューサの後部３０の３ｍｍまで変化するフェーズドアレイの使用をそれぞれ含む。ソフトウェア（すなわち、アレイの各素子に対して遅延を計算するソフトウェアモジュール）がこれを支持すべきであることは言うまでもない。
【００３４】
例えば、相対的に短い焦点距離に対してトランスデューサの前部３２にある素子１２のセットを使用するには、この相対的に短い焦点距離において相対的に小さなビーム幅（長さＤｓで測定）を得るために、この相対的に短い焦点距離において相対的に大きなビーム拡がり（トランスデューサの平面Ｑに対して直角な角度ｆｓで測定）を有するビーム２６Ｔｓを発生させる。トランスデューサの後部３０にある素子セットを相対的に長い焦点距離に対して使用するには、この相対的に長い焦点距離（図４を参照のこと）において相対的に小さなビーム幅（長さＤｌで測定）を得るために、この相対的に長い焦点距離において相対的に小さなビーム拡がり（平面Ｑに対して直角な角度ｆｌで測定）を有するビーム２６Ｔｌを発生させる。
【００３５】
ビーム２６Ｔｓのインデックスポイント２２はトランスデューサの前部３２に相対的に近い位置にあるため、ビーム２６Ｔｓは溶接部にほぼ直角に当たる。
【００３６】
ビーム２６Ｔｌのインデックスポイント２２’はトランスデューサの後部３０に相対的に近い位置にあるため、ビーム２６Ｔｓも溶接部にほぼ直角に当たる。
【００３７】
この原理を用いた３２個の素子から成るアレイの長さは６４ｍｍになる。
【００３８】
非一定ピッチを使用することのさらなる利点は、グレーティングローブがさらに抑圧されることである。これは、格子の寄与が同相でないために、グレーティングローブにおいて音圧が相殺的干渉によって低減されるという事実による。
【００３９】
同じことは、図４Ｂにおいて送信ビーム２６Ｔｓに一致する受信ビーム２６Ｒｓにも、図４Ｂにおいて送信ビーム２６Ｔｌに一致する受信ビーム２６Ｒｌにも準用される。
【００４０】
したがって、送信素子１６のアレイ１２と、受信素子１８のアレイ１４と、送信素子アレイおよび受信素子アレイ用の少なくとも１つのウエッジ６、８とを備える、音波を発生させる、より具体的には圧縮波を発生させる、図４による実施形態のトランスデューサについても同様である。アレイ１２をウエッジ６上に固定することもできる。トランスデューサに送信素子アレイ１２用の第１のウエッジ６と、受信素子アレイ１４用の第２のウエッジ８とを設けることも可能である。トランスデューサは、送信素子アレイおよび受信素子アレイを分離する音響障壁１０を備えることが好ましい。この例において、音響障壁１０は第１のウエッジ６と第２のウエッジ８の間に延在する。送信素子アレイ１２のピッチは、送信素子アレイの長さＬｔに沿って変化する。送信素子アレイ１２のピッチは、送信素子アレイのほぼ全長に沿って変化する。送信素子アレイ１２のピッチは、一般に、トランスデューサの後部３０からトランスデューサの前部３２への方向に縮小する。受信素子アレイ１４のピッチは、受信素子アレイの長さＬｒに沿って変化する。受信素子アレイのピッチは、一般に、トランスデューサの後部３０からトランスデューサの前部３２への方向に縮小する。
【００４１】
より長い焦点距離にはより大きな幅が必要になるという要件に対応するために、本発明は、可変幅３４、３６（例えば８ｍｍから１５ｍｍまで変化）をそれぞれ有する送信素子アレイ１２および受信素子アレイ１４をさらに備える。上記の値は単なる例であり、用途が異なればこの例とは異なる値が必要になりうる。
【００４２】
トランスデューサの前部３２にあるセットの素子１６は相対的に小さな幅３４を有し、相対的に短い焦点距離２０に使用することができる。すなわち、これらの素子１６は、相対的に短い焦点距離２０において相対的に小さなビーム幅（開先２４において距離Ｄｓに対して直角な長さｄｓとして測定）を得るために、相対的に短い焦点距離２０において相対的に大きいビーム拡がり（トランスデューサの平面Ｑに平行な、角度ｆｓに対して直角な角度ｇｓにおいて測定）を有する送信ビーム２６Ｔｓを発生させる。
【００４３】
トランスデューサの後部３０にあるセットの素子１６は、相対的に大きいビーム幅３４を有し、相対的に長い焦点距離２０’に使用することができる。すなわち、これらの素子１６は、相対的に長い焦点距離２０’において相対的に小さなビーム幅（開先２４において距離Ｄｌに対して直角な長さｄｌとして測定）を得るために、相対的に長い焦点距離２０’において相対的に小さなビーム拡がり（トランスデューサの平面Ｑに平行な、角度ｆｌに対して直角な角度ｇｌにおいて測定）を有する送信ビーム２６Ｔｌを発生させる。
【００４４】
他の送信ビームを焦点距離２０、２０’の間の焦点距離で発生させるために、上記のセット間にある他のセットの送信素子１６を用いることもできる。
【００４５】
受信素子１８についても同じである。トランスデューサの前部３２にあるセットの素子１８は相対的に小さな幅３６を有し、相対的に短い焦点距離２０に使用することができる。すなわち、これらの素子１８は、相対的に短い焦点距離２０において相対的に小さな受信ビーム幅（開先２４において距離Ｄｓに対して直角な長さｄｓとして測定）を得るために、相対的に短い焦点距離２０において相対的に大きいビーム拡がり（トランスデューサの平面Ｑに平行な、角度ｆｓに対して直角な角度ｇｓにおいて測定）を有する受信ビーム２６Ｒｓを発生させる。
【００４６】
トランスデューサの後部３０にあるセットの受信素子１８は、相対的に大きいビーム幅３６を有し、相対的に長い焦点距離２０’に使用することができる。すなわち、これらの素子１８は、相対的に長い焦点距離２０’において相対的に小さなビーム幅（開先２４において距離Ｄｌに対して直角な長さｄｌとして測定）を得るために、相対的に長い焦点距離２０’において相対的に小さなビーム拡がり（トランスデューサの平面Ｑに平行な、角度ｆｌに対して直角な角度ｇｌにおいて測定）を有する受信ビーム２６Ｒｌを発生させる。
【００４７】
他の受信ビームを焦点距離２０、２０’の間の焦点距離で発生させるために、上記のセット間にある他のセットの受信素子１８を用いることもできる。
【００４８】
したがって、図４に示す実施形態においても、送信素子アレイの長さＬｔに対して直角な方向の送信素子１６の幅３４は、一般に、トランスデューサの後部３０からトランスデューサの前部３２への方向に縮小する。送信素子アレイ１２の長さＬｔに対して直角な方向の送信素子１６の幅３４は、送信素子アレイの長さＬｔに沿って、送信受信素子アレイのピッチに対応して変化する。受信素子アレイの長さに対して直角な方向の受信素子の幅３６は、一般に、トランスデューサの後部３２からトランスデューサの前部３４への方向に縮小する。受信素子アレイ１４の長さＬｒに対して直角な方向の受信素子１６の幅３６は、受信素子アレイの長さＬｒに沿って、受信素子アレイのピッチに対応して変化する。送信素子アレイのピッチおよび受信素子アレイのピッチは、一般に同じように変化する。送信素子の幅および受信素子の幅は、一般に同じように変化する。ただし、本発明はこの例に限定されない。
【００４９】
本実施形態は、両アレイの中心線Ｌｒ、Ｌｔがトランスデューサの前方約１５ｍｍの距離で交差するように互いに対して（製造時に）回転されている、トランスデューサの送信器半体と受信器半体とをさらに備える。このようにすることにより、送信および受信素子アレイの２つの対応する区域によって発生されたビームは、トランスデューサの前方のほぼ同じ投影距離にある材料中の１点で必ず交差する。この距離は、プローブ角度ごとに変化しうるが、実用的な目的には十分に高精度である。この方法によると、図２に関して説明したように受信素子アレイおよび送信素子アレイをそれぞれ複数使用する必要がない。
【００５０】
上記のトランスデューサは、少なくとも粗粒異方性溶接部の超音波検査に一般に使用されるあらゆる手法に使用することができる。これらの手法として、一次および二次クリーピング波と、直接および間接照射と、タンデム手法とが挙げられる（タンデム手法の特殊な一実施形態は、送信器および受信器のインデックスポイントが一致する円形トリップタンデムである）。たとえば、米国特許出願第６０／８６１，９６４号および論文「超音波モード変換手法の適用（Ａｐｐｌｉｃａｔｉｏｎｓ  ｏｆ  Ｕｌｔｒａｓｏｎｉｃ  Ｍｏｄｅ  Ｃｏｎｖｅｒｓｉｏｎ  Ｔｅｃｈｎｉｑｕｅｓ）（Ｗ．Ｈ．ｖａｎ  Ｌｅｅｕｗｅｎ；Ｉｎｔ．Ｊ．Ｐｒｅｓ．Ｖｅｓ．＆  Ｐｉｐｉｎｇ誌、第３９巻（１９８９年）Ｐ．２６５−２７８）を参照されたい。
【００５１】
図４Ａには本発明の一実施形態によるトランスデューサの（図２のような）上面図が示され、図４Ｂには（図３のような）側面図が示されている。この上面図は、送信器および受信素子アレイ１２、１４を示す。鋼鉄中のビーム掃引範囲の中心４０に対して最適化されたウエッジ角度Ｓをそれぞれ有するトランスデューサの完全な半体は、送信器および受信器の中心線Ｌｒ、Ｌｔがプローブの前方約１５ｍｍで交差するように回転されている。上面図には、トランスデューサの前部で最小ピッチＰを有し、後部でより大きいピッチ値（図示せず）を有するアレイを形成する素子１６、１８の（全てではなく）一部が示されている。
【００５２】
側面図は、ビームがテスト中の部品１９に進入する様子を示す。クリーピング波２６Ｔｓ（法線に対して９０°未満）はトランスデューサの前部によって生成され、溶接部の表面近くの区域を検査する。別のビーム２６Ｔｌ（鋼板の底部での波モード変換後に角度７０°を有する）は、溶接部の開先の１つに直角に当たってこの開先を検査する。
【００５３】
ビームの中心線４０のみが描かれている。溶接部のもう一方の側を検査するために、溶接部のもう一方の側に対して同様の方法およびトランスデューサを使用できる。
【００５４】
ビームのインデックスポイント２２を移動するために、さまざまな素子セットが使用される。例えば、アレイの後部３０にある８つの送信素子は、より長い距離において相対的に小さなビーム幅（長さＤｌで測定）を有し、検査対象の溶接部に少なくともほぼ直角に当たるような位置にインデックスポイント２２’（図４を参照のこと）を有する送信ビーム２６Ｔｌを発生させるために用いられる。アレイの前部３２にある別の８つの送信素子は、より短い距離において相対的に小さなビーム幅（長さＤｓで測定）を有し、ビームが検査対象の溶接部に少なくともほぼ直角に落ちる位置にインデックスポイント２２（図４を参照のこと）を有する受信ビーム２６Ｔｓを発生させるために用いられる。これは、この２つの送信素子セットの間にある送信素子セットにも同様に準用される。
【００５５】
これは、選択された受信素子セットにも同様に準用される。本例において、アレイの後部３０にある８つの受信素子は、相対的に長い所望距離に焦点２０’を得るために、後部３０にある８つの送信素子と組み合わせて用いられ、前部３２にある８つの受信素子は、相対的に短い所望距離に焦点２０を得るために用いられる。これは、この２つの受信素子セットの間にある受信素子セットにも同様に準用される。
【００５６】
本発明の一側面によると、上記のように所望の位置のインデックスポイント２２、２２’の選択を、図２に示すような従来のトランスデューサによって行うこともできる。その場合、インデックスポイントの可能な位置を十分に変化させるために、十分な数の送信および受信素子をトランスデューサに設けるべきである。
【図１】
2010517034.tif 000003
【図２】
2010517034.tif 000004
【図３】
2010517034.tif 000005
【図４Ａ】
2010517034.tif 000006
【図４Ｂ】
2010517034.tif 000007
【国際調査報告】
2010517034.tif 000008
2010517034.tif 000009
2010517034.tif 000010
2010517034.tif 000011
2010517034.tif 000012